(57)【要約】本発明は、一つのレーザーソースの波長スイッチングの方法と装置に関するものであって、該方法は光ファイバー（４）におけるブラッグの格子（５）のある一つの外部キャビティ（２）を含む。本方法は、異なる一つのブラッグの格子（５）をそれぞれがもつ多数の光ファイバー（４）を、外部キャビティにおいて、空間分割な仕方でスイッチングすることにある。本装置は、一つの空間分割スイッチ（３）を含み、異なるブラッグの格子（５）をそれぞれがもつ多数の光ファイバー（４）を、外部キャビティにおいてスイッチングする。
2004514267.tif 000002
【特許請求の範囲】
【請求項１】
一つのレーザーソース（１００）の波長によるスイッチングの方法であって、該方法は光ファイバー（４，４ｉ）におけるブラッグの格子（５，５ｉ）のある一つの外部キャビティ（２，２ｉ）を含んでおり、前記方法が、
−異なる一つのブラッグの格子（５，５ｉ）をそれぞれが有する多数の光ファイバー（４，４ｉ）を、外部キャビティ（２，２ｉ）において、空間分割な仕方でスイッチングすること、にあることを特徴とする方法。
【請求項２】
請求項１に記載の一つのレーザーソース（１００）の波長によるスイッチング方法であって、前記方法が、また：
−外部キャビティ（２，２ｉ）を画定するアンプ環境（１，１ｉ）を、一本の中間周波光ファイバー（６，６ｉ）によって、光ファイバー（４，４ｉ）に光軸調整すること、にあることを特徴とする方法。
【請求項３】
請求項２に記載の一つのレーザーソース（１００）の波長によるスイッチング方法であって、前記方法が、また：
−ブラッグの格子（５ｉ）のある多数の外部キャビティ（２ｉ）を、多数のアンプ環境（１ｉ）によって画定すること、および
−一つのレーザビームを、外部キャビティ（２ｉ）によって、同時に発信すること、にあることを特徴とする方法。
【請求項４】
請求項２または３に記載の一つのレーザーソース（１００）の波長によるスイッチング方法であって、前記方法が、また：
−各中間周波光ファイバー（６，６ｉ）を、ブラッグの格子（５，５ｉ）を有する光ファイバー（４，４ｉ）と光軸調整することであって、光ファイバーと向かい合う先端が、純シリカ区間、および勾配指数のある区間（１３）を備えており、前記二区間が、所定の長さ（Ｌｓ，Ｌｉｎ）であること、を特徴とする方法。
【請求項５】
請求項２から４のいずれか一つに記載の一つのレーザーソース（１００）の波長によるスイッチング方法であって、前記方法が、また：
−アダプタ指数液（１２）を、各中間周波光ファイバー（６，６ｉ）と、ブラッグの格子（５，５ｉ）を有する光ファイバー（４，４ｉ）との間に挿入すること、にあることを特徴とする方法。
【請求項６】
一つのレーザーソース（１００）の波長によるスイッチングの装置であって、該装置が光ファイバー（６，６ｉ）にブラッグの格子（５，５ｉ）のある一つの外部キャビティ（２，２ｉ）を含んでおり、前記装置が：
−異なる一つのブラッグの格子（５，５ｉ）をそれぞれがもつ多数の光ファイバー（６，６ｉ）を、外部キャビティ（２，２ｉ）においてスイッチングするための一つの空間分割スイッチ（３）を、含むことを特徴とする装置。
【請求項７】
請求項６に記載の一つのレーザーソース（１００）の波長によるスイッチング装置であって、前記装置が、さらに：
−前面（７）と、後面（８）が一つのブラッグの格子（５，５ｉ）とともに外部キャビティ（２，２ｉ）を画定する後面（８）とを有する、一つのアンプ環境（１，１ｉ）、および
−アンプ環境（１，１ｉ）の前面（７）と一つのブラッグの格子（５，５ｉ）を有する一本の光ファイバー（４，４ｉ）との間にあり、アンプ環境（１，１ｉ）を、一つのブラッグの格子（５，５ｉ）を有する光ファイバー（４，４ｉ）に光軸調整するための、一本の中間周波光ファイバー（６，６ｉ）と、を含むことを特徴とする装置。
【請求項８】
請求項７に記載の一つのレーザーソースの波長によるスイッチング装置であって、前記装置が、さらに：
−光ファイバー（４ｉ）でのブラッグの格子（５ｉ）のある多数の外部キャビティ（２ｉ）を画定し、異なる光ファイバー（４ｉ）でのレーザビームを同時に発信するための、多数のアンプ環境（１ｉ）、および
−各中間周波光ファイバー（６，６ｉ）が、一つのアンプ環境（１，１ｉ）を一つのブラッグの格子（５，５ｉ）を有する一本の光ファイバー（４，４ｉ）に光軸調整する、多数の中間周波光ファイバー（６，６ｉ）と、を含むことを特徴とする装置。
【請求項９】
請求項７または８に記載の一つのレーザーソースの波長スイッチング装置であって、前記装置が、さらに：
−一つのブラッグの格子（５，５ｉ）を有する各光ファイバー（４，４ｉ）の末端のうちの、一つの末端のレンズ光学系（１１）の反射率を制限する一処理であって、前記末端が中間周波光ファイバー（６，６ｉ）と反対側にあるもの、および−アンプ環境（１，１ｉ）の後面（８）の側から発信されるレーザビームとを、含むことを特徴とする装置。
【請求項１０】
請求項７から９のいずれか一つに記載の一つのレーザーソースの波長によるスイッチング装置であって：
−各中間周波光ファイバー（６，６ｉ）と、一つのブラッグの格子（５，５ｉ）を有する各光ファイバー（４，４ｉ）とが分離すること、を特徴とする装置。
【請求項１１】
請求項７から９のいずれか一つに記載の一つのレーザーソースの波長によるスイッチング装置であって：
−各中間周波光ファイバー（６，６ｉ）と、一つのブラッグの格子（５，５ｉ）を有する各光ファイバー（４，４ｉ）とに対面する末端が、一つの純シリカ区間と一つの勾配指数のある区間とから構成されるマイクロ光学器機（１３）を備えており、前記二区間が、所定の長さ（Ｌｓ，Ｌｉｎ）であって、光ファイバー（６ｉ，４ｉ）を互いの間で光軸調整するようにすることを特徴とする装置。
【請求項１２】
請求項１０または１１に記載の一つのレーザーソースの波長によるスイッチング装置であって、前記装置が、さらに：
−各中間周波光ファイバー（６，６ｉ）と、一つのブラッグの格子（５，５ｉ）を有する一本の光ファイバー（４，４ｉ）との間の一つのアダプタ指数液（１２）を、含むことを特徴とする装置。
【請求項１３】
請求項７から１２のいずれか一つに記載の一つのレーザーソースの波長によるスイッチング装置であって：
−各中間周波光ファイバー（６，６ｉ）の両末端のうちの一末端が、一つの純シリカ区間と一つの勾配指数のある区間を備えており、前記二区間が、所定の長さであって、中間周波光ファイバー（６，６ｉ）をアンプ環境（１，１ｉ）のうちの一つに光軸調整するようにすることを特徴とする装置。
【請求項１４】
請求項１３に記載の一つのレーザーソースの波長によるスイッチング装置であって：
−一つの双曲線の輪郭が、アンプ環境（１，１ｉ）に対面する中間周波光ファイバー（６，６ｉ）の末端に付与されることを特徴とする装置。
【発明の詳細な説明】
【０００１】
本発明は、一つのレーザーソースの波長によるスイッチングの方法および装置に関するものである。
【０００２】
本発明は、波長における多重化の分野に含まれるものであり、それは、光ファイバーでの伝送のインフラストラクチャの可能性を広めることを可能にする。
【０００３】
本発明は、あるアプリケーションが、末端のレーザーソースの交換により、存在する光ファイバーのあるインフラストラクチャのメンテナンスを単純化することを可能にする点で非常に有利であることを発見しているが、それは光ファイバーでの伝送が波長による多重化の技術を活用する際であり、該技術は波長多重のレーザーソースを必要とするものである。これら多重化の技術の中で、英語Ｄｅｎｓｅ　Ｗａｖｅｌｅｎｇｔｈ　Ｄｉｖｉｓｉｏｎ　Ｍｕｌｔｉｐｌｅｘｉｎｇ（高密度波長多重分割通信）の略語である、英語の略号ＤＷＤＭで周知の該技術は、大西洋横断の通信網で広がっている最中であり、該通信網は、大きな情報量を支えており、その情報量の一部はインターネットネットワークの利用に結びつけられる。このネットワーク利用の需要が非常に増大していることを考えると、末端のレーザーソースの単なる交換だけで光インフラストラクチャから遠隔で実行されるメンテナンスの単純化は、きわめて重要な有利な条件を示す。
【０００４】
現在、波長の多重分配と互換性のある末端のレーザーソースは、様々なタイプがあり得る。
【０００５】
第一のタイプは、ＤＦＢまたはＤＢＲと呼ばれるが、これは英語Ｄｉｓｔｒｉｂｕｔｅｄ　Ｆｅｅｄｂａｃｋ（分布帰還型）、またはＤｉｓｔｒｉｂｕｔｅｄ　Ｂｒａｇｇ　Ｒｅｆｌｅｃｔｏｒ（分布ブラッグ反射型）の略記である。このようなソースは、アンプ環境と同じ構造に位置する選択要因によって、波長を選択する。
【０００６】
第二のタイプは、外部キャビティのあるレーザーソースを含むが、該外部キャビティは、光ファイバー内に光記録される一つのブラッグの格子によって画定される。ヨーロッパ特許出願０９３０６７９は、アンプ環境と、同じ光ファイバー内に光記録されるある一定数のブラッグの格子とを含む、このようなレーザーソースを記載している；すなわち、ブラッグの格子のそれぞれは、アンプ環境と協働して、外部キャビティと波長とを決定する。このレーザーソースにおいて、アンプ環境と光ファイバーのとの間に挿入される一つの選択フィルタによって、キャビティに存在する波長の中から一つの波長を選択して、波長のスイッチングが実行される。
【０００７】
レーザーソースＤＦＢまたはＤＢＲの場合、温度への依存性は、およそ１００ｐｍ／Ｋである。したがって、ソースＤＦＢまたはＤＢＲの利用は拘束力が大きいが、それは、周波数の安定性を保証するためのあるペルティエ要素によって、該ソースをある温度に調節する必要があるからである。それに対し、外部キャビティのあるレーザーソースの場合、該ソースで格子がシリカに光記録されるが、ブラッグの波長には、温度にあまり敏感ではないということ、またおよそ１５ｐｍ／Ｋであるという利点がある。
【０００８】
しかしながら、周知の外部キャビティのあるソースにおいて、複数の波長は、フィルタがない場合には一本の同じ光ファイバーに同時に存在し、したがって、フィルタの同調が、選択すべき波長に対して正確に実行されなければならない。したがって、フィルタのドリフトからくる、温度との同調を保つために、温度を制御する必要がある。
【０００９】
したがって、本発明の目的によって解決すべき技術的問題は、光ファイバーでのブラッグの格子に一つの外部キャビティを含む一つのレーザーソースの、波長によるスイッチングの方法を提供することであって、該方法は、温度に対する感度のより低い波長のスイッチングを実行する；つまり、温度に敏感な波長で同調する要因は利用しないのである。
【００１０】
呈示された技術的問題への解決は、本発明によると、前記方法が以下をすることにある：
−異なる一つのブラッグの格子をそれぞれがもつ多数の光ファイバーを、外部キャビティにおいて、空間分割な仕方でスイッチングすること。
【００１１】
そのうえ、本発明は、一つのレーザーソースの波長によるスイッチング装置を目的としており、該装置は、光ファイバーのブラッグの格子のある一つの外部キャビティを含む。前記装置は、
−異なる一つのブラッグの格子をそれぞれがもつ多数の光ファイバーを、外部キャビティにおいてスイッチングするための一つの空間分割スイッチ、を含む。
【００１２】
このように、本発明による方法は、一方では一つのアンプ環境から、また他方では一つのブラッグの格子から成る、一つの外部キャビティのあるレーザーソースに関するものであり、該方法は、一つのブラッグの格子を別のブラッグの格子に取り替えることによって外部キャビティを修正しつつ、波長をスイッチングする；後者の別のブラッグの格子は、前者の一つのブラッグの格子とは異なる一つのピッチをもっている。該取替えは、一つのブラッグの格子をそれぞれが含む複数の光ファイバーを、外部キャビティにおいて空間分割な仕方でスイッチングすることによって実行される。
【００１３】
本発明にかなったあるレーザーソースの波長によるスイッチングの方法と装置は、呈示された問題を解決する。すなわち、空間分割な仕方で実行されたスイッチングのあとで、同時に一つの波長しか存在しないことは、アンプ環境の正面での光ファイバーの出力において、フィルタリングを必要としない；すなわち波長による同調可能な要因は必要でない。したがって、波長のスイッチングは、温度の制御なしで実行することができ、また、有利な仕方では、波長間の間隔が、あるフィルタの選択性によって制限されない。
【００１４】
そのうえ、本発明による方法および装置は、レーザーソースがアンプ環境を一つだけ、または多数含むかに応じて、モノラルまたは多重回線の一つのレーザー発信を自由に使えることを可能にする。
【００１５】
一方では、光ファイバーとアンプ環境との間の光軸調整は、特定の要求に応じて適合させることができる。空間分割スイッチをアンプ環境から遠ざけるために、アンプ環境は、一本の中間周波モノラルモード光ファイバーによって、複数の光ファイバーに光軸調整させることができる。この中間周波光ファイバーは、発信特性を最適化し、また光軸調整を改善させるために一枚のレンズを備えることができる。そのうえ、作動の際の妨害を制限するために、光ファイバーと対面する末端は、マイクロ光学器機のような一つの光軸調整手段を備えることができる。
【００１６】
本発明の他の特徴および利点は、非制限例として与えられる付属の図面と対比してなされる、後に続く詳細な説明の際に明らかになるであろう。
【００１７】
図１は、本発明による一つのモノラル回線スイッチング装置のある特定の実施の概略図である。
【００１８】
図２は、本発明による一つの多重回線スイッチング装置のある特定の実施の概略図である。
【００１９】
図３は、反射設定の本発明による一つの多重回線スイッチング装置のある特定の実施の概略図である。
【００２０】
図４から７は、光ファイバーの光軸調整の特定のモードの概略図である。
【００２１】
図１は、本発明による一つのレーザーソース１００のスイッチング装置のある特定の実施を概略的に表している。該装置は、一つのアンプ環境１、一つの外部キャビティ２、一つの空間分割スイッチ３、および、ブラッグの格子５を有する光ファイバー４を含む。本実施は、該装置が、一本の中間周波光ファイバー６をさらに含む点において特徴的である。
【００２２】
アンプ環境１は、二面の間に、一つのレーザーダイオードを従来通り含む。該二面のうちの一面、いわゆる前面７は、該面の反射率を減らすために処理されている。該処理は、誘電性の層のある堆積から構成されうる。処理された面７は、ブラッグの格子５の側に位置する。もう一つの面、いわゆる後面８は、処理されないかまたは、処理され、一つの鏡のように反射するようにする。
【００２３】
外部キャビティ２は、後面８によって、およびブラッグの格子５のうちの一つによって、画定される。
【００２４】
空間分割スイッチ３は、外部キャビティ２における、アンプ環境１の前の多数の光ファイバー４をスイッチングすることを可能にする。空間分割スイッチングの一例は、光ファイバー４のうちの一本をアンプ環境１の正面に位置決めするために、光ファイバー４を回転によってアンプ環境１の前に移動させることにある。平行移動は、矢印９によって示される第一、および第二の方向に従って実行される。空間分割スイッチ１は、一つの熱作動機、一つの電磁気引力、または、周知の他のあらゆる空間分割スイッチング手段を必要とすることができる。
【００２５】
空間分割スイッチ３に配置される各光ファイバー４は、一本のモノラルモード光ファイバーであって、そこで一つのブラッグの格子５が光記録される。
【００２６】
各ブラッグの格子５は、一つの波長を決定する一つの所定のピッチを有する。異なるピッチのブラッグの格子５の数が、スイッチングされることができる、異なる波長の数を決定する。
【００２７】
本発明のこの特定の実施によると、一本の中間周波光ファイバー６は、アンプ環境１と空間分割スイッチ３との間に配列され、アンプ環境１と空間分割スイッチ３との間の光軸調整を保証するようにする。中間周波光ファイバー６は、アンプ環境１の前の空間分割スイッチ３の位置決めを容易にし、また、該中間周波光ファイバー６は、スイッチ３をアンプ環境１から遠ざけることを可能にする。中間周波光ファイバー６は、モノラルモードであって、該光ファイバーは、発信特性を最適化し、かつ光軸調整を改善させるための一枚のレンズを備えることができ、またさらに、該レンズは、一つの双曲線の輪郭をもつことができる。とりわけ、一つの双曲線の輪郭と一枚の勾配指数のあるレンズの組合わせは、本出願人名義で交付され、また以降に記述されるフランス特許ＦＲ２７５２６２３において記載されているタイプであるが、中間周波光ファイバー６をアンプ環境１からかなり遠くに、例えば６０μｍ、遠ざけることを可能にする。
【００２８】
例証に従って、スイッチ３は位置決めされ、長さλ２に相当するブラッグの格子５が外部キャビティを画定するようにする。この設定に従い、装置の出力１０の発信は、一つの波長λ２を有する。
【００２９】
図１に表される装置は、モノラル回線であるが、それはレーザーソース１００が、一つのアンプ環境１だけ；もしくは一つの外部キャビティ２だけしか、含まないからである。したがって、該装置は、定められた一つの波長のレーザビーム一つのみを発信する。
【００３０】
図２は、多重回線スイッチングの一装置のある特定の実施を表す。一つの多重回線装置は、異なる波長のいくつかのレーザビームの同時発信を可能にする。発信される束の数は、レーザーソース１００を含むアンプ環境の数によって決定されるが、それは光ファイバーの数がアンプ環境の数以上であることを条件とする。各アンプ環境１は、一つのブラッグの格子５とともに、一つの外部キャビティ２を構成する。図２によって示される例において、レーザーソース１００は、四つのアンプ環境１ｉ、つまりｉ＝１から４、および八本の光ファイバー４ｉ、つまりｉ＝１から８を含む。出力１０のレーザビームの数は、アンプ環境の数と同じ、もしくは四つとする。各光ファイバー４ｉは、一つのブラッグの格子５ｉを含み、該格子は、一つの波長λｉ、つまりｉ＝１から８を決定する。例に従って、ブラッグの格子と結びついた波長は、λ１、λ２、λ３、λ４、λ５、λ６、λ７およびλ８であるが、スイッチ３は、出力レーザビームが発信波長として、λ１、λ２、λ３およびλ４をもつように位置決めされる。光ファイバー４ｉのスイッチングは、出力波長の修正を可能にする。例えば、多数の光ファイバー４ｉを四回スイッチングすれば、出力レーザビームは、発信波長として、それぞれλ５、λ６、λ７およびλ８をもつことになる。
【００３１】
本実施は、該装置が、アンプ環境と光ファイバーの間に、一本の中間周波光ファイバー６ｉをさらに含む点において特徴的である；つまり、各中間周波光ファイバーは、前述の装置の中間周波光ファイバーと同じ機能を果たす。
【００３２】
図１および２と対比してなされる該装置の詳細な説明は、伝送設定の一装置に相当する。つまり、該装置の出力１０は、アンプ環境１に対して、光ファイバー４と同じ側にある。別の言葉では、該装置の出力１０は、アンプ環境１の前面７と同じ側である。
【００３３】
図３は、反射設定の本発明による一つのスイッチング装置の概略図である。この設定によると、該装置の出力１０は、アンプ環境１ｉに対して、光ファイバー４ｉと反対側である。別の言葉では、該装置の出力１０は、各アンプ環境１ｉの後面８と同じ側である。この設定において、一つのブラッグの格子５ｉを含む光ファイバー４ｉの出力のレンズ光学系１１の反射率は、ある特定の処理によって制限することができる。この処理は、光ファイバーのある分割、光ファイバーの斜めでの、例えば１２°での研磨、または、一つのゲル指数の挿入などで構成され得る。これらの処理は、当業者に周知である。
【００３４】
外部キャビティのあるレーザーソースの性能は、レーザーダイオードと外部キャビティの閾値利得の比率にそれぞれ強く結びついている。ところが、光ファイバーの末端間で作り出されるノイズキャビティは、外部キャビティを妨害する、というのも、該外部キャビティは、アンプ環境の前面とブラッグの格子の間に挿入されるからである。光ファイバーのこれら末端での大きなネガティブフィードバックは、外部キャビティの閾値利得を増幅する原因となり、したがって、レーザーダイオードでのレーザー発振を容易にする原因となる。ダイオードのレーザーモードと外部キャビティのレーザーモードとの間のこの競合は、閾値利得が近くなると、レーザーソースの雑音の突然の増大を引き起こす可能性がある。そして、そのうえ、該競争は、側面モードの除去率を大幅に減らす可能性がある。
【００３５】
すなわち、ノイズキャビティは、光軸調整の損失、その長さ、屈折光学の形態、および干渉する環境指数に応じて、レーザー発信を妨害することができる。とりわけ、このことは、英語Ｒｅｌａｔｉｖｅ　Ｉｎｔｅｎｓｉｔｙ　Ｎｏｉｓｅ（相対強度雑音）の略語ＲＩＮと記される、相対的な強度の雑音の増加、および、側面のモードの除去率の低下によって、表現され得る。したがって、モードのサイズを大きくし、および／またはノイズキャビティの長さを伸ばすように、光軸調整は決定される。一方では、モードのサイズが大きければ大きいほど、二本の光ファイバー間のアラインメント応力は緩和される。他方では、ノイズキャビティを伸ばすことで、一つの外部キャビティのあるレーザーソースの作動を妨害する光学のネガティブフィードバックを最小にすることを可能とする。本発明の活用のための光軸調整の様々な実施態様は、図４から７と対比して以降、記述される。
【００３６】
第一の実施態様によれば、光ファイバー間の光軸調整は、光ファイバーを分割して実行される。図４は、光軸調整を表しており、このタイプでは、モノラルモードの二本の光ファイバー６と４が垂直に分割するものである。該二本の光ファイバーの間の距離ｄは、ノイズキャビティの長さを決定する。この長さは、およそ２０μｍである。この実施態様は、単純な製法であることを利点とする。
【００３７】
この実施態様の光軸調整の性能の改善は、ある実施変形例によって得られる。それは図５に表される。性能の改善は、二本の光ファイバー６と４の間へのアダプタ指数液１２の挿入によって得られる。すなわち、アダプタ指数液１２は、長さｄのノイズキャビティの影響を制限する。この変形例は、こうして、横の位置決めの公差を緩和することを可能にし、また光軸調整の性能の改善を可能にする。
【００３８】
図６と７によって示される第二の実施態様によれば、光ファイバー６と４の間の光軸調整は、用語『ｇｒａｄｉｓｓｉｍｏ』によって表わされるマイクロ光学器機１３を備えるファイバーによって実行される。これらマイクロ光学器機１３は、所望の光軸調整の特性に応じて光ファイバーの末端のモードのサイズを適合させることを目的とする。それらの原理は、長さＬｓの純シリカ製ファイバーの第一区間と、長さＬｉｎの勾配指数があり、一本のモノラルモード光ファイバーの先端であるファイバーの第二区間とに挿入することに根幹をおく。これらマイクロ光学器機１３は、指数のアダプタゲルの利用を必要としないが、しかしながら、該光学器機は考慮された基準（費用、性能等）に応じて、そのようなゲルの挿入と組み合わせることができる。マイクロ光学器機『ｇｒａｄｉｓｓｉｍｏ』は、以下をすることからなる方法に従って得られる：
−一つの共同溶接機を用いて、勾配指数のある、略語で『ｇｒａｄｉｓ』式の、ｎ本の多重モード光ファイバーの一つの束を、シリカの、略語でｓｉのコアのないｎ本の光ファイバーの一つの束に、接合すること、
−コアのないシリカのｎ本の光ファイバーの束を裂いて、長さｌのｎ個の平行区間を得るようにすること、
−モノラルモード、略語で『ｍｏ』の、ｎ本の光ファイバーの一つの束を、シリカ区間に接合すること、
−勾配指数のある多重モード光ファイバーの長さＬを、シリカの延長区間内にとどめるように、束を裂くこと。
【００３９】
得られた束は、ｎ個のマイクロ光学器機を含むが、ｎは１以上である。該束は、用語『ｇｒａｄｉｓｓｉｍｏ』によって表わされるが、これは、勾配指数（ｇｒａｄｉｓ）、シリカ（ｓｉ）およびモノラルモード（ｍｏ）の略記である。本方法は、本出願人の名義で交付されたフランス特許２７５２６２３において、より明確に記載されている。
【００４０】
マイクロ光学器機による光軸調整は、決定された長さＬｓと長さＬｉｎによって、図６によって示されるようにモードのサイズを増幅することを可能にする。このように、９．２μｍの従来の一本のモノラルモード光ファイバーの末端をもつモードのサイズに対して、例えば、５８μｍの光ファイバーの末端をもつモードのサイズを得ることが可能である。このような差は、位置決めの公差の重要な緩みを可能にするが、該位置決めでは、従来の一本のモノラルモード光ファイバーによる光軸調整はできない。例によれば、３ｄＢの光軸調整の損失に相当する理論上の不整合は、従来のモノラルモード光ファイバーによる光軸調整のための７．５μｍから、マイクロ光学器機による光軸調整のための２４μｍに増える。
【００４１】
ノイズキャビティを伸ばすことは、モノラルモード光ファイバーだけによるのでは効果的ではない。すなわち、このような光軸調整を用いて伸ばすことは、光軸調整率の低下を招くし、また、外部キャビティのあるレーザーソースの閾値利得の致命的な欠陥となる増幅を招くのである。マイクロ光学器機１３による光軸調整は、図７に示されるように、ノイズキャビティの長さｄを伸ばすことを可能にする。それに伴い、そのような光軸調整は、発信特性を最適化することを可能にする。つまり、このような光軸調整は、垂直に分割したモノラルモード光ファイバー一本による光軸調整に比べ、モードのより良い除去率と、分極電流の前のより大きな安定性とを得ることを可能にする。マイクロ光学器機による光軸調整は、相当する電流（５０ｍＡ）の指数液の中に浸された、モノラルモード光ファイバーによる光軸調整によって得られる性能に似通った性能をもたらす。しかし、マイクロ光学器機による光軸調整は、指数液を必要としないという点においてとりわけ有利である。
【図面の簡単な説明】
【図１】
本発明による一つのモノラル回線スイッチング装置のある特定の実施の概略図である。
【図２】
本発明による一つの多重回線スイッチング装置のある特定の実施の概略図である。
【図３】
反射設定の本発明による一つの多重回線スイッチング装置のある特定の実施の概略図である。
【図４】
光ファイバーの光軸調整の特定のモードの概略図である。
【図５】
光ファイバーの光軸調整の特定のモードの概略図である。
【図６】
光ファイバーの光軸調整の特定のモードの概略図である。
【図７】
光ファイバーの光軸調整の特定のモードの概略図である。
【国際公開パンフレット】
2004514267.tif 000003
2004514267.tif 000004
2004514267.tif 000005
2004514267.tif 000006
2004514267.tif 000007
2004514267.tif 000008
2004514267.tif 000009
2004514267.tif 000010
2004514267.tif 000011
2004514267.tif 000012
2004514267.tif 000013
2004514267.tif 000014
2004514267.tif 000015
2004514267.tif 000016
2004514267.tif 000017
2004514267.tif 000018
【国際調査報告】
2004514267.tif 000019
2004514267.tif 000020
2004514267.tif 000021
2004514267.tif 000022
2004514267.tif 000023
2004514267.tif 000024